(57)【要約】【課題】特に最外周付近で極端に記録品質が悪くなる光ディスクにおいて記録エラーとなる前に記録を停止できる光ディスク記録再生装置を提供する。【解決手段】光ディスクの所定数のセクタずつセクタに情報が記録される毎に、記録した情報が読み出されて情報の信号のジッタが測定され、測定されたときのアドレスとジッタの測定値との関係に基づいてアドレスとジッタとの関係が近似的に示される近似式が算出され、この近似式が参照されて、所定アドレス以降のジッタ予想値が所定の閾値以上であると判定されたときに、当該光ディスクに対する情報の記録が停止される。したがって、特に最外周付近で極端に記録品質が悪くなる光ディスクは、最外周付近のアドレスになると、ジッタ予想値が所定閾値以上になり、記録が停止され、光ディスクにはこれ以上情報が記録されないことになる。【選択図】図４
2007213645.tif 000002
【特許請求の範囲】
【請求項１】
光ディスクに対して情報の記録／再生を行う光ディスク記録再生装置において、
光ディスクの所定数のセクタずつセクタに情報を記録させる制御を行う記録制御手段と、
前記所定数のセクタに対する情報の記録が済んだか否かを判定するセクタ記録済み判定手段と、
前記所定数のセクタに対する情報が記録済みであると判定されたとき、前記所定数のセクタから情報の読み出しを行うリードバック手段と、
前記所定数のセクタから情報が読み出されているときに、その情報の信号のジッタを測定するジッタ測定手段と、
前記ジッタを測定したときの当該光ディスクのアドレスに対応させて前記ジッタの測定値をメモリに保存させるジッタ測定値保存手段と、
前記ジッタが当該光ディスクの所定アドレスの分まで測定され、前記メモリに保存されたアドレスとジッタの測定値との関係に基づいてアドレスとジッタとの関係を近似的に示す近似式を算出する近似式算出手段と、
前記所定アドレス以降のジッタ予想値が所定の閾値以上であるか否かを前記近似式を参照して判定するジッタ予想値判定手段と、
前記所定アドレス以降のジッタ予想値が所定の閾値以上であると判定されたときに、当該光ディスクに対する情報の記録を停止させる記録停止手段と、を有するシステムコントローラを備えたことを特徴とする光ディスク記録再生装置。
【請求項２】
光ディスクに対して情報の記録／再生を行う光ディスク記録再生装置において、
光ディスクの所定数のセクタずつセクタに情報を記録させる毎に、前記記録した情報を読み出して前記情報の信号のジッタを測定し、前記ジッタを測定したときのアドレスとジッタの測定値との関係に基づいてアドレスとジッタとの関係を近似的に示す近似式を算出し、この近似式を参照して、所定アドレス以降のジッタ予想値が所定の閾値以上であると判定したときに、当該光ディスクに対する情報の記録を停止させる制御を行うシステムコントローラを備えたことを特徴とする光ディスク記録再生装置。
【請求項３】
前記システムコントローラは、光ディスクの所定数のセクタずつセクタに情報を記録させる制御を行う記録制御手段と、前記所定数のセクタに対する情報の記録が済んだか否かを判定するセクタ記録済み判定手段と、前記所定数のセクタに対する情報が記録済みであると判定されたとき、前記所定数のセクタから情報の読み出しを行うリードバック手段と、前記所定数のセクタから情報が読み出されているときに、その情報の信号のジッタを測定するジッタ測定手段と、前記ジッタを測定したときの当該光ディスクのアドレスに対応させて前記ジッタの測定値をメモリに保存させるジッタ測定値保存手段と、前記ジッタが当該光ディスクの所定アドレスの分まで測定され、前記メモリに保存されたアドレスとジッタの測定値との関係に基づいてアドレスとジッタとの関係を近似的に示す近似式を算出する近似式算出手段と、前記所定アドレス以降のジッタ予想値が所定の閾値以上であるか否かを前記近似式を参照して判定するジッタ予想値判定手段と、前記所定アドレス以降のジッタ予想値が所定の閾値以上であると判定されたときに、当該光ディスクに対する情報の記録を停止させる記録停止手段と、を有することを特徴とする請求項２に記載の光ディスク記録再生装置。
【発明の詳細な説明】
【技術分野】
【０００１】
本発明は、光ディスクに対して情報の記録／再生を行う光ディスク記録再生装置に関し、特に、光ディスクの記録品質が低下した場合の処理に関する。
【背景技術】
【０００２】
近年、映画等のような大量の映像音声データなどの情報を記録することができる光ディスクであるＤＶＤ（デジタル・バーサタイル・ディスク）が普及しつつある。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で規定回数書き換え可能なＤＶＤ−ＲＷやＤＶＤ＋ＲＷあるいはＤＶＤ−ＲＡＭなどが知られている。これらのＤＶＤに記録された情報は、光ディスク再生装置（ＤＶＤプレイヤ）または光ディスク記録再生装置（ＤＶＤレコーダ）で再生可能であり、ＤＶＤ−Ｒ、ＤＶＤ＋Ｒ、ＤＶＤ−ＲＷ、ＤＶＤ＋ＲＷ、ＤＶＤ−ＲＡＭへの情報の記録は、光ディスク記録再生装置（ＤＶＤレコーダ）で可能である。
【０００３】
ところで、前述したＤＶＤ−Ｒ、ＤＶＤ＋Ｒ、ＤＶＤ−ＲＷ、ＤＶＤ＋ＲＷ、ＤＶＤ−ＲＡＭなどのような光ディスク、あるいは従来から知られているＣＤ−ＲやＣＤ−ＲＷなどのような光ディスクは、ユーザ側で光ディスク記録再生装置を用いて情報を記録することができるが、このような記録可能な光ディスクに情報を記録する場合、光ディスク記録再生装置では、光ディスクに書き込み処理を開始する前に、光ディスクの所定領域にテストデータをテスト書きして、このテスト書きしたデータを読み出すことにより、光ディスクの記録品質を判定している。
【特許文献１】特開２００５−３２２３０４号公報
【特許文献２】特開２００５−１８２８５６号公報
【特許文献３】特開２００４−１９９７４９号公報
【発明の開示】
【発明が解決しようとする課題】
【０００４】
ところが、最外周付近で極端に記録品質が悪くなる光ディスクが製造上の問題で存在することがあり、このような光ディスクに対しても情報を記録させるときには、従来から光ディスク記録再生装置では、前述したように、光ディスクに書き込み処理を開始する前に、光ディスクの所定領域にテストデータをテスト書きして、このテスト書きしたデータを読み出すことにより、光ディスクの記録品質を判定しているが、このように光ディスクの所定領域にテストデータをテスト書きして、そのテストデータを読み出して、記録品質が良好であると判定しても、光ディスクの最外周付近での情報の記録中に記録エラーが発生したりする場合があったり、情報を書き込むことができても読み出せない場合があったりする。したがって、従来の光ディスク記録再生装置では、そのような状態になった光ディスクに対して情報を記録させる処理は無駄となり、また、書き込んだはずの情報が読み出せなくなることによって、重要な情報が失ったのと同じ状況になり、ユーザにとっては不本意となり、装置の信頼性も低下するという課題があった。
【０００５】
なお、特許文献１の従来技術では、各ドライブ毎に各種メディアの品位基準となる基準メディアを記録再生し、その結果得られた特性値に所定の係数を乗じて得られた閾値を各ドライブに設けられた所定の記録領域にそれぞれ格納しておき、記録対象とするメディアに情報の記録を行う際には、該メディアをパワーまたはパルス幅の変化を伴う複数の記録条件を用いて記録再生し、その結果得られた複数の特性値から近似曲線を求め、前記近似曲線と前記閾値との位置関係で求められるマージン量に基づいて前記メディアに対する記録品位の検査を行うようにしている。
【０００６】
しかしながら、この従来技術では、記録対象とするメディアに情報の記録を行う際には、該メディアをパワーまたはパルス幅の変化を伴う複数の記録条件を用いて記録再生し、その結果得られた複数の特性値から近似曲線を求めているが、この近似曲線は最外周付近で極端に記録品質が悪くなる光ディスクの記録品質の検査には適用できない。即ち、この近似曲線は、該メディアをパワーまたはパルス幅の変化を伴う複数の記録条件を用いて記録再生し、その結果得られた複数の特性値から求められるが、複数の記録条件および複数の特性値は、最外周付近で極端に記録品質が悪くなる光ディスクを考慮に入れたものではないので、上記のような課題を解決できるものではない。
【０００７】
特許文献２の従来技術では、光ディスクのユーザデータ領域へのユーザデータの記録に先立ち、リードアウト領域に所定のブロック数の記録を行うようにして、記録時に外周でデータ記録エラー等が起こるか否かを予め確認することができるようにしているが、最外周付近で極端に記録品質が悪くなる光ディスクは、リードアウト領域も記録品質が悪くなることになるので、上記のような課題を解決できるものではない。
【０００８】
特許文献３の従来技術では、例えば、ディスクの内周部、中間部、外周部の３箇所に記録パターンを少しずつ変えながらテスト書き込みが行われ、書き込まれた信号が読み出され、この読み出された信号に対して、振幅、ジッタ、エラー率などが測定され、各個所について、これらが最良となるようなレーザ出力設定値および記録パルス設定値がテスト結果として求められるようになっているが、このような処理は、最外周付近で極端に記録品質が悪くなる光ディスクを考慮に入れたものではないので、上記のような課題を解決できるものではない。
【０００９】
本発明は、上記のような課題を解決するためになされたもので、特に最外周付近で極端に記録品質が悪くなる光ディスクにおいて記録エラーとなる前に記録を停止させることができる光ディスク記録再生装置を提供することを目的とする。
【課題を解決するための手段】
【００１０】
上記目的を達成するために、請求項１の発明は、光ディスクの所定数のセクタずつセクタに情報を記録させる制御を行う記録制御手段と、前記所定数のセクタに対する情報の記録が済んだか否かを判定するセクタ記録済み判定手段と、前記所定数のセクタに対する情報が記録済みであると判定されたとき、前記所定数のセクタから情報の読み出しを行うリードバック手段と、前記所定数のセクタから情報が読み出されているときに、その情報の信号のジッタを測定するジッタ測定手段と、前記ジッタを測定したときの当該光ディスクのアドレスに対応させて前記ジッタの測定値をメモリに保存させるジッタ測定値保存手段と、前記ジッタが当該光ディスクの所定アドレスの分まで測定され、前記メモリに保存されたアドレスとジッタの測定値との関係に基づいてアドレスとジッタとの関係を近似的に示す近似式を算出する近似式算出手段と、前記所定アドレス以降のジッタ予想値が所定の閾値以上であるか否かを前記近似式を参照して判定するジッタ予想値判定手段と、前記所定アドレス以降のジッタ予想値が所定の閾値以上であると判定されたときに、当該光ディスクに対する情報の記録を停止させる記録停止手段と、を有するシステムコントローラを備えたことを特徴とする光ディスク記録再生装置を提供する。
【００１１】
この構成において、先ず、書き込み可能な光ディスクが光ディスク記録再生装置に挿入され、光ディスクに対する情報の記録が開始されると、記録制御手段は、光ディスクの所定数のセクタずつセクタに情報を記録させることを実行する。そして、セクタ記録済み判定手段は、前記所定数のセクタに対する情報の記録が済んだか否かを判定し、リードバック手段は、前記所定数のセクタから情報の読み出しを行う処理であるリードバックを実行し、この時、ジッタ測定手段は、前記所定数のセクタから情報が読み出されているときに、その情報の信号のジッタを測定する。
【００１２】
この後、ジッタ測定値保存手段は、前記ジッタを測定したときの当該光ディスクのアドレスに対応させて前記ジッタの測定値をメモリに保存させる。そして、当該光ディスクの所定アドレス分までの情報が記録されるまでの間、ジッタが測定され、アドレスとジッタの測定値との関係がメモリに保存されることになるので、近似式算出手段は、メモリからアドレスとジッタとの関係を読み出し、この読み出したアドレスとジッタとの関係からアドレスとジッタとの関係を近似的に示す近似式を算出する。
【００１３】
次に、ジッタ予想値判定手段は、所定アドレス以降のジッタ予想値が所定の閾値以上であるか否かを前記近似式を参照して判定する。所定アドレス以降のジッタ予想値が所定の閾値以上であると判定されたときは、記録停止手段は、当該光ディスクに対する情報のこれ以上の記録を停止させる。
【００１４】
この構成によれば、光ディスクを内周側から外周側に向かって情報が記録されているときに、所定アドレス以降のジッタ予想値が所定閾値以上になると、記録が停止される。したがって、特に最外周付近で極端に記録品質が悪くなる光ディスクは、最外周付近のアドレスになると、ジッタ予想値が所定閾値以上になり、記録が停止され、光ディスクにはこれ以上情報が記録されないことになる。
【００１５】
従来の光ディスク記録再生装置では、前述したように、光ディスクに書き込み処理を開始する前に、光ディスクの所定領域にテストデータをテスト書きして、このテスト書きしたデータを読み出すことにより、光ディスクの記録品質を判定しているが、このように光ディスクの所定領域にテストデータをテスト書きして、そのテストデータを読み出して、記録品質が良好であると判定しても、光ディスクの最外周付近での情報の記録中に記録エラーが発生したりする場合があったり、情報を書き込むことができても読み出せない場合があったりし、そのような状態になった光ディスクに対して情報を記録させる処理は無駄であり、また、書き込んだはずの情報が読み出せなくなることによって、重要な情報が失ったのと同じ状況になる。
【００１６】
しかし、請求項１の発明の構成によれば、光ディスクを内周側から外周側に向かって情報が記録されているときに、所定アドレス以降のジッタ予想値が所定閾値以上になると、記録が停止される。したがって、特に最外周付近で極端に記録品質が悪くなる光ディスクは、最外周付近のアドレスになると、ジッタ予想値が所定閾値以上になり、記録が停止され、光ディスクにはこれ以上情報が記録されないことになる。この結果、光ディスクは外周側の品質が悪くて記録／再生ができなくても、記録品質が悪くなるまでの分の情報が正常に記録され、読み出しも正常に行われるので、１枚の光ディスクを有効に使用でき、光ディスクを無駄にするようなことがなくなる。また、書き込んだはずの情報が読み出せなくなるようなことがなくなり、装置の信頼性も向上する。
【００１７】
請求項２の発明は、光ディスクの所定数のセクタずつセクタに情報を記録させる毎に、前記記録した情報を読み出して前記情報の信号のジッタを測定し、前記ジッタを測定したときのアドレスとジッタの測定値との関係に基づいてアドレスとジッタとの関係を近似的に示す近似式を算出し、この近似式を参照して、所定アドレス以降のジッタ予想値が所定の閾値以上であると判定したときに、当該光ディスクに対する情報の記録を停止させる制御を行うシステムコントローラを備えたことを特徴とする光ディスク記録再生装置を提供する。
【００１８】
この構成において、光ディスクの所定数のセクタずつセクタに情報が記録される毎に、前記記録した情報が読み出されて前記情報の信号のジッタが測定され、測定されたときのアドレスとジッタの測定値との関係に基づいてアドレスとジッタとの関係が近似的に示される近似式が算出され、この近似式が参照されて、所定アドレス以降のジッタ予想値が所定の閾値以上であると判定されたときに、当該光ディスクに対する情報の記録が停止される。
【００１９】
この構成によれば、光ディスクを内周側から外周側に向かって情報が記録されているときに、所定アドレス以降のジッタ予想値が所定閾値以上になると、記録が停止される。したがって、特に最外周付近で極端に記録品質が悪くなる光ディスクは、最外周付近のアドレスになると、ジッタ予想値が所定閾値以上になり、記録が停止され、光ディスクにはこれ以上情報が記録されないことになる。したがって、特に最外周付近で極端に記録品質が悪くなる光ディスクは、最外周付近のアドレスになると、ジッタ予想値が所定閾値以上になり、記録が停止され、光ディスクにはこれ以上情報が記録されないことになる。この結果、光ディスクは外周側の品質が悪くて記録／再生ができなくても、記録品質が悪くなるまでの分の情報が正常に記録され、読み出しも正常に行われるので、１枚の光ディスクを有効に使用でき、光ディスクを無駄にするようなことがなくなる。また、書き込んだはずの情報が読み出せなくなるようなことがなくなり、装置の信頼性も向上する。
【００２０】
請求項３の発明は、請求項２の発明において、前記システムコントローラは、光ディスクの所定数のセクタずつセクタに情報を記録させる制御を行う記録制御手段と、前記所定数のセクタに対する情報の記録が済んだか否かを判定するセクタ記録済み判定手段と、前記所定数のセクタに対する情報が記録済みであると判定されたとき、前記所定数のセクタから情報の読み出しを行うリードバック手段と、前記所定数のセクタから情報が読み出されているときに、その情報の信号のジッタを測定するジッタ測定手段と、前記ジッタを測定したときの当該光ディスクのアドレスに対応させて前記ジッタの測定値をメモリに保存させるジッタ測定値保存手段と、前記ジッタが当該光ディスクの所定アドレスの分まで測定され、前記メモリに保存されたアドレスとジッタの測定値との関係に基づいてアドレスとジッタとの関係を近似的に示す近似式を算出する近似式算出手段と、前記所定アドレス以降のジッタ予想値が所定の閾値以上であるか否かを前記近似式を参照して判定するジッタ予想値判定手段と、前記所定アドレス以降のジッタ予想値が所定の閾値以上であると判定されたときに、当該光ディスクに対する情報の記録を停止させる記録停止手段とを有する。
【００２１】
したがって、前記システムコントローラは、記録制御処理、セクタ記録済み判定処理、リードバック処理、ジッタ測定処理、ジッタ測定値保存処理、近似式算出処理、ジッタ予想値判定処理、および記録停止処理を実現でき、これにより、光ディスクを内周側から外周側に向かって情報が記録されているときに、所定アドレス以降のジッタ予想値が所定閾値以上になると、記録を停止させることができる。
【発明の効果】
【００２２】
以上のように本発明によれば、光ディスクの所定数のセクタずつセクタに情報を記録させる制御を行う記録制御手段と、前記所定数のセクタに対する情報の記録が済んだか否かを判定するセクタ記録済み判定手段と、前記所定数のセクタに対する情報が記録済みであると判定されたとき、前記所定数のセクタから情報の読み出しを行うリードバック手段と、前記所定数のセクタから情報が読み出されているときに、その情報の信号のジッタを測定するジッタ測定手段と、前記ジッタを測定したときの当該光ディスクのアドレスに対応させて前記ジッタの測定値をメモリに保存させるジッタ測定値保存手段と、前記ジッタが当該光ディスクの所定アドレスの分まで測定され、前記メモリに保存されたアドレスとジッタの測定値との関係に基づいてアドレスとジッタとの関係を近似的に示す近似式を算出する近似式算出手段と、前記所定アドレス以降のジッタ予想値が所定の閾値以上であるか否かを前記近似式を参照して判定するジッタ予想値判定手段と、前記所定アドレス以降のジッタ予想値が所定の閾値以上であると判定されたときに、当該光ディスクに対する情報の記録を停止させる記録停止手段とを有するシステムコントローラを備えたので、光ディスクを内周側から外周側に向かって情報が記録されているときに、所定アドレス以降のジッタ予想値が所定閾値以上になると、記録を停止させることができる。
【００２３】
したがって、特に最外周付近で極端に記録品質が悪くなる光ディスクは、最外周付近のアドレスになると、ジッタ予想値が所定閾値以上になり、記録が停止され、光ディスクにはこれ以上情報が記録されないことになる。この結果、光ディスクは外周側の品質が悪くて記録／再生ができなくても、記録品質が悪くなるまでの分の情報が正常に記録され、読み出しも正常に行われるので、１枚の光ディスクを有効に使用でき、光ディスクを無駄にするようなことがなくなる。また、書き込んだはずの情報が読み出せなくなるようなことがなくなり、装置の信頼性も向上する。
【００２４】
また、本発明によれば、光ディスクの所定数のセクタずつセクタに情報を記録させる毎に、前記記録した情報を読み出して前記情報の信号のジッタを測定し、前記ジッタを測定したときのアドレスとジッタの測定値との関係に基づいてアドレスとジッタとの関係を近似的に示す近似式を算出し、この近似式を参照して、所定アドレス以降のジッタ予想値が所定の閾値以上であると判定したときに、当該光ディスクに対する情報の記録を停止させる制御を行うシステムコントローラを備えたので、光ディスクを内周側から外周側に向かって情報が記録されているときに、所定アドレス以降のジッタ予想値が所定閾値以上になると、記録を停止させることができる。
【００２５】
したがって、特に最外周付近で極端に記録品質が悪くなる光ディスクは、最外周付近のアドレスになると、ジッタ予想値が所定閾値以上になり、記録が停止され、光ディスクにはこれ以上情報が記録されないことになる。この結果、光ディスクは外周側の品質が悪くて記録／再生ができなくても、記録品質が悪くなるまでの分の情報が正常に記録され、読み出しも正常に行われるので、１枚の光ディスクを有効に使用でき、光ディスクを無駄にするようなことがなくなる。また、書き込んだはずの情報が読み出せなくなるようなことがなくなり、装置の信頼性も向上する。
【発明を実施するための最良の形態】
【００２６】
以下、添付図面を参照しつつ、本発明の実施の形態について説明する。図１は本発明の一実施形態に係る光ディスク記録再生装置の構成を示すブロック図である。
【００２７】
この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２８】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２９】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００３０】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００３１】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやデータが記憶された不揮発性メモリとしてのフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００３２】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（エンコードデータ）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００３３】
システムコントローラ２２は、本実施形態の特徴とする構成要素として、光ディスク１の所定数のセクタずつセクタに情報を記録させる制御を行う記録制御手段２２１と、前記所定数のセクタに対する情報の記録が済んだか否かを判定するセクタ記録済み判定手段２２２と、前記所定数のセクタに対する情報が記録済みであると判定されたとき、前記所定数のセクタから情報の読み出しを行うリードバック手段２２３と、前記所定数のセクタから情報が読み出されているときに、その情報の信号のジッタを測定するジッタ測定手段２２４と、前記ジッタを測定したときの当該光ディスク１のアドレスに対応させて前記ジッタの測定値をＲＡＭ２７に保存させるジッタ測定値保存手段２２５と、前記ジッタが当該光ディスク１の所定アドレスの分まで測定され、ＲＡＭ２７に保存されたアドレスとジッタの測定値との関係に基づいてアドレスとジッタとの関係を近似的に示す近似式を算出する近似式算出手段２２６と、前記所定アドレス以降のジッタ予想値が所定の閾値以上であるか否かを前記近似式を参照して判定するジッタ予想値判定手段２２７と、前記所定アドレス以降のジッタ予想値が所定の閾値以上であると判定されたときに、当該光ディスク１に対する情報の記録を停止させる記録停止手段２２８とを有する。
【００３４】
図２は内周、中周、外周とも品質が同じような光ディスクに対するアドレスとジッタとの関係を示す図である。図２において、横軸は光ディスクの内周から外周にかけてのアドレス（物理アドレス）を示し、縦軸はジッタを示す。ラインＬ１は、光ディスク上のアドレス１００００ｈ（数セクタ）毎に測定されたジッタの特性を示す。ラインＬ１上の各点が、アドレス３００００ｈ〜２５００００ｈ位までにおいてアドレス１００００ｈ（数セクタ）毎に測定されたジッタの測定値を示す。また、ラインＬ２は、光ディスクに対する情報の記録を停止させるか否かを判定するための閾値を示し、この例の場合、ジッタが１５〔％〕であるときのジッタ値を閾値としている。なお、図２に示すアドレスとジッタとの関係は、一例であるので、これに限ることはない。
【００３５】
図３は外周で品質が悪くなる場合の光ディスクに対するアドレスとジッタとの関係を示す図である。図３において、横軸は光ディスクの内周から外周にかけてのアドレス（物理アドレス）を示し、縦軸はジッタを示す。ラインＬ３は、光ディスク上のアドレス１００００ｈ（数セクタ）毎に測定されたジッタの特性を示す。ラインＬ３上の各点が、アドレス３００００ｈ〜２５００００ｈ位までにおいてアドレス１００００ｈ（数セクタ）毎に測定されたジッタの測定値を示す。また、ラインＬ２は、光ディスクに対する情報の記録を停止させるか否かを判定するための閾値を示し、この例の場合、ジッタが１５〔％〕であるときのジッタ値を閾値としている。ラインＬ４は、ラインＬ３上の各点に基づいて近似的に算出されたジッタの特性を示す。このラインＬ４は、ラインＬ３を２次関数で近似した２次近似式によって得ることができる。この例の場合、２３００００ｈ以降のジッタ予想値がラインＬ２で示す閾値以上であれば、記録を停止させている。なお、図３に示すアドレスとジッタとの関係は、一例であるので、これに限ることはない。
【００３６】
図４は本実施形態において光ディスクに対して内周から外周にかけて情報を記録しているときに最外周付近で極端に光ディスクの品質が悪くなったときに記録を停止させるまでの処理を説明するためのフローチャートである。このフローチャートおよび図１、図３を参照して光ディスクに対して内周から外周にかけて情報を記録しているときに最外周付近で極端に光ディスクの品質が悪くなったときに記録を停止させるまでの処理について説明する。
【００３７】
先ず、書き込み可能な光ディスク１が光ディスク記録再生装置に挿入されると（ステップＳ１）、システムコントローラ２２は、サーボ制御部４およびモータ駆動回路３４を介してスピンドルモータ５を少し回転させることによって光ディスク１を少し回転させると共に、光ピックアップ２をサーボ制御部４を介して駆動させて、ディスク情報を読み出し、更に、サーボ制御部４およびスレッド３を介して光ピックアップ２を移動させて初期位置に設定する処理であるスピンアップを行う（ステップＳ２）。
【００３８】
そして、光ディスク１に書き込む情報が、例えば、アンテナ２８で受信してチューナ２９で選局されたテレビ番組であるとすると、チューナ２９からの映像音声信号は、前述したような動作を行うＡ／Ｄ変換回路３０、ＭＰＥＧエンコーダ３１、ＲＡＭ３２、ＡＴＡＰＩ３３、記録データ変調回路２５、およびレーザ変調回路２６により処理され、光ピックアップ２を介して光ディスク１に対する記録が開始される（ステップＳ３）。記録が開始されると、システムコントローラ２２の記録制御手段２２１は、サーボ制御部４を介して光ピックアップ２を駆動させ、光ディスク１の数セクタ（物理アドレスで言えば例えば１００００ｈ）ずつセクタに情報を記録させることを実行する（ステップＳ４）。
【００３９】
そして、システムコントローラ２２は、リモコン２１などの停止キーの操作により記録終了要求があるか否か、または光ディスク１の記録領域が情報の記録で全部使用されたか否かを判定し（ステップＳ５）、記録終了要求があったと判定された場合、または記録領域が情報の記録で全部使用されたと判定された場合には、本処理は終了するが、記録終了要求がないと判定され、かつ記録領域が情報の記録で全部使用されていないと判定された場合には、システムコントローラ２２のセクタ記録済み判定手段２２２は、前記所定数のセクタに対する情報の記録が済んだか否かを判定する（ステップＳ６）。
【００４０】
次に、システムコントローラ２２のリードバック手段２２３は、前記所定数のセクタに対する情報が記録済みであると判定されたとき、光ピックアップ２を書き込み動作から読み出し動作に切り換え、光ピックアップ２により前記所定数のセクタから情報の読み出しを行う処理であるリードバックを実行し（ステップＳ７）、この時、システムコントローラ２２のジッタ測定手段２２４は、前記所定数のセクタから情報が光ピックアップ２により読み出されているときに、ＲＦアンプ６を介して、その情報の信号（ＲＦ信号）のジッタを測定する（ステップＳ８）。
【００４１】
この後、システムコントローラ２２のジッタ測定値保存手段２２５は、前記ジッタを測定したときの当該光ディスク１のアドレスに対応させて前記ジッタの測定値をＲＡＭ２７に保存させる（ステップＳ９）。そして、当該光ディスク１の例えば、アドレス３００００ｈ〜２３００００ｈまで情報が記録されるまでの間、ステップＳ４〜ステップＳ１０の処理が繰り返され、アドレス３００００ｈ〜２３００００ｈまで情報が記録されたと判定されると、この時点では、前記ジッタが当該光ディスク１のアドレス３００００ｈ〜２３００００ｈまでの数セクタ（１００００ｈ）毎に測定され、アドレスとジッタの測定値との関係がＲＡＭ２７に保存されていることになるので、システムコントローラ２２の近似式算出手段２２６は、ＲＡＭ２７からアドレスとジッタとの関係を読み出し、この読み出したアドレスとジッタとの関係からアドレスとジッタとの関係を近似的に示す近似式を算出する（ステップＳ１１）。この近似式により、例えば、図３に示すラインＬ４を得ることができる。
【００４２】
次に、システムコントローラ２２のジッタ予想値判定手段２２７は、例えば、アドレス２３００００ｈ以降のジッタ予想値が所定の閾値（図３ではラインＬ２で示す閾値）以上であるか否かを前記近似式（例えばラインＬ４）を参照して判定する（ステップＳ１２）。アドレス２３００００ｈ以降のジッタ予想値が所定の閾値未満であると判定されたときは、ステップＳ４〜ステップＳ１２の処理を繰り返すが、アドレス２３００００ｈ以降のジッタ予想値が所定の閾値以上であると判定されたときは、システムコントローラ２２の記録停止手段２２８は、当該光ディスク１に対する情報のこれ以上の記録を停止させる（ステップＳ１３）。即ち、当該光ディスク１の最外周付近でジッタが閾値以上になる見込みであることが分かれば、その手前で記録を終了する。
【００４３】
以上説明したように本実施形態によれば、特に最外周付近で極端に記録品質が悪くなる光ディスクは、最外周付近のアドレスになると、ジッタ予想値が所定閾値以上になり、記録が停止され、光ディスクにはこれ以上情報が記録されないことになる。この結果、光ディスクは外周側の品質が悪くて記録／再生ができなくても、記録品質が悪くなるまでの分の情報が正常に記録され、読み出しも正常に行われるので、１枚の光ディスクを有効に使用でき、光ディスクを無駄にするようなことがなくなる。また、書き込んだはずの情報が読み出せなくなるようなことがなくなり、装置の信頼性も向上する。
【産業上の利用可能性】
【００４４】
本発明は、光ディスクに対して情報の記録／再生を行う光ディスク記録再生装置（ＤＶＤレコーダ）におけるディスク品質を判断する処理に利用できる。
【図面の簡単な説明】
【００４５】
【図１】本発明の一実施形態に係る光ディスク記録再生装置の構成を示すブロック図である。
【図２】内周、中周、外周とも品質が同じような光ディスクに対するアドレスとジッタとの関係を示す図である。
【図３】外周で品質が悪くなる場合の光ディスクに対するアドレスとジッタとの関係を示す図である。
【図４】前記実施形態において光ディスクに対して内周から外周にかけて情報を記録しているときに最外周付近で極端に光ディスクの品質が悪くなったときに記録を停止させるまでの処理を説明するためのフローチャートである。
【符号の説明】
【００４６】
１    光ディスク
２２    システムコントローラ
２７    ＲＡＭ（メモリ）
２２１    記録制御手段
２２２    セクタ記録済み判定手段
２２３    リードバック手段
２２４    ジッタ測定手段
２２５    ジッタ測定値保存手段
２２６    近似式算出手段
２２７    ジッタ予想値判定手段
２２８    記録停止手段
【図１】
2007213645.tif 000003
【図２】
2007213645.tif 000004
【図３】
2007213645.tif 000005
【図４】
2007213645.tif 000006